(57)【要約】【課題】  製造時、梱包時、店頭展示時に積み重ねた場合にも安定感を損なわないようにする。【解決手段】  所定の大きさの直方体形状の袋体１内に、所定枚数の使い捨ておむつ２，２・・を収納してなる袋入り使い捨ておむつにおいて、前記各使い捨ておむつ２の胴部２ａから股間部２ｂに至る長さ方向の最大寸法を同幅方向の最大寸法より大きく設定するとともに、前記各使い捨ておむつ２を、前身頃および後見頃が鉛直姿勢となり且つ股間部２ｂが前記袋体１の一方の側面１ｃ側に向くように積み重ねて収納して、袋体１内に所定枚数の使い捨ておむつ２，２・・を収納した状態においては底面の面積が従来のものに比べて大きくなるようにしている。【選択図】        図１
2005329106.tif 000002
【特許請求の範囲】
【請求項１】
所定の大きさの直方体形状の袋体内に、所定枚数の使い捨ておむつを収納してなる袋入り使い捨ておむつであって、前記各使い捨ておむつの胴部から股間部に至る長さ方向の最大寸法を同幅方向の最大寸法より大きく設定するとともに、前記各使い捨ておむつを、前身頃および後見頃が鉛直姿勢となり且つ股間部が前記袋体の一方の側面側に向くように積み重ねて収納したことを特徴とする袋入り使い捨ておむつ。
【請求項２】
所定の大きさの直方体形状の袋体内に、所定枚数の使い捨ておむつを収納してなる袋入り使い捨ておむつであって、前記各使い捨ておむつの胴部から股間部に至る長さ方向の最大寸法を同幅方向の最大寸法より大きく設定するとともに、前記各使い捨ておむつを、前身頃および後見頃が水平姿勢となり且つ股間部が前記袋体の一方の側面側に向くように積み重ねて収納したことを特徴とする袋入り使い捨ておむつ。
【請求項３】
前記各使い捨ておむつを、前見頃と後見頃との側端部同士を予め接合してなるパンツ式のものとしたことを特徴とする請求項１および２のいずれか一項記載の袋入り使い捨ておむつ。
【請求項４】
前記各使い捨ておむつを、前見頃と後見頃との側端部同士を装着時にテープを介して結合するテープ式のものとしたことを特徴とする請求項１および２のいずれか一項記載の袋入り使い捨ておむつ。
【請求項５】
前記所定枚数の使い捨ておむつの前記袋体への積み重ね収納状態における底面の投影面積が同側面の投影面積より大きくなるように設定したことを特徴とする請求項１、２、３および４のいずれか一項記載の袋入り使い捨ておむつ。
【請求項６】
前記所定枚数の使い捨ておむつの前記袋体への積み重ね収納状態における積み重ね方向寸法が自然状態における使い捨ておむつの積み重ね方向寸法より小さくなるように圧縮状態としたことを特徴とする請求項１、２、３、４および５のいずれか一項記載の袋入り使い捨ておむつ。
【請求項７】
前記各使い捨ておむつには、特定の色彩、模様、図形等からなる意匠部を設けるとともに、前記袋体には、前記意匠部を透視できる透明部を設けたことを特徴とする請求項１、２、３、４、５および６のいずれか一項記載の袋入り使い捨ておむつ。
【請求項８】
前記所定枚数の使い捨ておむつには、積み重ね収納された状態の使い捨ておむつ全体で構成される特定の色彩、模様、図形等からなる意匠部を設けるとともに、前記袋体には、前記意匠部を透視できる透明部を設けたことを特徴とする請求項１、２、３、４、５および６のいずれか一項記載の袋入り使い捨ておむつ。
【請求項９】
前記意匠部を、前記使い捨ておむつの股間部に設けるとともに、前記各使い捨ておむつの股間部が前記袋体の一方の側面に接するようにしたことを特徴とする請求項７および８のいずれか一項記載の袋入り使い捨ておむつ。
【請求項１０】
前記袋体の前後面上端には、その幅方向両端部に対して両端の取付部が固着された一対の手提げ用のループを設けるとともに、該ループの高さを、前記袋体の奥行き寸法より大きくしたことを特徴とする請求項１、２、３、４、５、６、７、８および９のいずれか一項記載の袋入り使い捨ておむつ。
【発明の詳細な説明】
【技術分野】
【０００１】
本願発明は、袋入り使い捨ておむつに関するものである。
【背景技術】
【０００２】
所定枚数（１８枚以下、１８〜３枚、例えば１０枚程度）の使い捨ておむつを、所定の大きさの直方体形状の袋体に収納した袋入り使い捨ておむつは、従来からよく知られているが、ループ袋で１４枚以下の収納枚数は、袋体内への収納方法と、袋体の正面幅≧側面幅（換言すれば、奥行）とされる袋体の製袋上の制約から存在しない。また、袋体への収納枚数が少なくなると、現状の収納方法（即ち、使い捨ておむつの股間部が袋体の天面あるいは底面に接するように収納する方法）では、袋入り使い捨ておむつ（換言すれば、パッケージされた使い捨ておむつ）のタイト性が悪くなる。従って、積み重ねると、安定感に欠けるものとなるという不具合が生ずる。
【０００３】
なお、上記したような袋入り使い捨ておむつについて、先行技術調査を行ったが、先行技術に相当する特許文献を発見することができなかった。
【発明の開示】
【発明が解決しようとする課題】
【０００４】
本願発明は、上記の点に鑑みてなされたもので、製造時、梱包時、店頭展示時に積み重ねた場合にも安定感を損なわないようにすることを目的としている。
【課題を解決するための手段】
【０００５】
本願発明では、上記課題を解決するための第１の手段として、所定の大きさの直方体形状の袋体内に、所定枚数の使い捨ておむつを収納してなる袋入り使い捨ておむつにおいて、前記各使い捨ておむつの胴部から股間部に至る長さ方向の最大寸法を同幅方向の最大寸法より大きく設定するとともに、前記各使い捨ておむつを、前身頃および後見頃が鉛直姿勢となり且つ股間部が前記袋体の一方の側面側に向くように積み重ねて収納している。
【０００６】
上記のように構成したことにより、袋体内に所定枚数の使い捨ておむつを収納した状態においては底面の面積が従来のものに比べて大きくなる。従って、安定感のあるものとなり、製造時、梱包時は勿論、店頭に展示する場合に容易に積み重ねることができる。
【０００７】
本願発明では、上記課題を解決するための第２の手段として、所定の大きさの直方体形状の袋体内に、所定枚数の使い捨ておむつを収納してなる袋入り使い捨ておむつにおいて、前記各使い捨ておむつの胴部から股間部に至る長さ方向の最大寸法を同幅方向の最大寸法より大きく設定するとともに、前記各使い捨ておむつを、前身頃および後見頃が水平姿勢となり且つ股間部が前記袋体の一方の側面側に向くように積み重ねて収納している。
【０００８】
上記のように構成したことにより、袋体内に所定枚数の使い捨ておむつを収納した状態においては底面の面積が従来のものに比べて大きくなる。従って、安定感のあるものとなり、製造時、梱包時は勿論、店頭に展示する場合に容易に積み重ねることができる。
【０００９】
本願発明では、さらに、上記課題を解決するための第３の手段として、上記第１又は第２の手段を備えた袋入り使い捨ておむつにおいて、前記各使い捨ておむつを、前見頃と後見頃との側端部同士を予め接合してなるパンツ式のものとすることもできる。
【００１０】
本願発明では、さらに、上記課題を解決するための第４の手段として、上記第１又は第２の手段を備えた袋入り使い捨ておむつにおいて、前記使い捨ておむつを、前見頃と後見頃との側端部同士を装着時にテープを介して結合するテープ式のものとすることもできる。
【００１１】
本願発明では、さらに、上記課題を解決するための第５の手段として、上記第１、第２、第３又は第４の手段を備えた袋入り使い捨ておむつにおいて、前記所定枚数の使い捨ておむつの前記袋体への積み重ね収納状態における底面の投影面積が同側面の投影面積より大きくなるように設定することもでき、そのように構成した場合、収納状態における安定感が高くなる。
【００１２】
本願発明では、さらに、上記課題を解決するための第６の手段として、上記第１、第２、第３、第４又は第５の手段を備えた袋入り使い捨ておむつにおいて、前記所定枚数の使い捨ておむつの前記袋体への積み重ね収納状態における積み重ね方向寸法が自然状態における使い捨ておむつの積み重ね方向寸法より小さくなるように圧縮状態とすることもでき、そのように構成した場合、使い捨ておむつの袋体へのコンパクト収納が可能となるとともに、使い捨ておむつの収納枚数を可及的に多くできる。
【００１３】
本願発明では、さらに、上記課題を解決するための第７の手段として、上記第１、第２、第３、第４、第５又は第６の手段を備えた袋入り使い捨ておむつにおいて、前記各使い捨ておむつに、特定の色彩、模様、図形等からなる意匠部を設けるとともに、前記袋体に、前記意匠部を透視できる透明部を設けることもでき、そのように構成した場合、意匠部を外部から容易且つ明確に透視できることとなり、意匠部により収納された使い捨ておむつを特定することができる。
【００１４】
本願発明では、さらに、上記課題を解決するための第８の手段として、上記第１、第２、第３、第４、第５又は第６の手段を備えた袋入り使い捨ておむつにおいて、前記所定枚数の使い捨ておむつに、積み重ね収納された状態の使い捨ておむつ全体で構成される特定の色彩、模様、図形等からなる意匠部を設けるとともに、前記袋体に、前記意匠部を透視できる透明部を設けることもでき、そのように構成した場合、意匠部を外部から容易且つ明確に透視できることとなり、意匠部により収納された使い捨ておむつを特定することができるとともに、収納された使い捨ておむつに欠品が生じた場合に、当該欠品を意匠部の不完成により容易に発見することができる。
【００１５】
本願発明では、さらに、上記課題を解決するための第９の手段として、上記第７又は第８の手段を備えた袋入り使い捨ておむつにおいて、前記意匠部を、前記使い捨ておむつの股間部に設けるとともに、前記各使い捨ておむつの股間部が前記袋体の一方の側面に接するようにすることもでき、そのように構成した場合、股間部に設けられた意匠部が袋体の側面（換言すれば、透明部）に接することにより、意匠部の透視がより明確となるし、袋体には各種のデザインが施されるが、透明部以外の部分として比較的大きな面積を確保できるところから、各種デザインを容易に施すことができる。
【００１６】
本願発明では、さらに、上記課題を解決するための第１０の手段として、上記第１、第２、第３、第４、第５、第６、第７、第８又は第９の手段を備えた袋入り使い捨ておむつにおいて、前記袋体の前後面上端には、その幅方向両端部に対して両端の取付部が固着された一対の手提げ用のループを設けるとともに、該ループの高さを、前記袋体の奥行き寸法より大きくすることもでき、そのように構成した場合、安定した状態で持ち上げることができるとともに、ループに手を通し易くなるところから、持ち運びに便利となる。
【発明の効果】
【００１７】
本願発明によれば、所定の大きさの直方体形状の袋体内に、所定枚数の使い捨ておむつを収納してなる袋入り使い捨ておむつにおいて、前記各使い捨ておむつの胴部から股間部に至る長さ方向の最大寸法を同幅方向の最大寸法より大きく設定するとともに、前記各使い捨ておむつを、前身頃および後見頃が鉛直姿勢（あるいは、水平姿勢）となり且つ股間部が前記袋体の一方の側面側に向くように積み重ねて収納して、袋体内に所定枚数の使い捨ておむつを収納した状態においては底面の面積が従来のものに比べて大きくなるようにしたので、安定感のあるものとなり、製造時、梱包時は勿論、店頭に展示する場合に容易に積み重ねることができるという効果がある。
【発明を実施するための最良の形態】
【００１８】
以下、添付の図面を参照して、本願発明の幾つかの好適な実施の形態について説明する。
【００１９】
第１の実施の形態
図１ないし図３には、本願発明の第１の実施の形態にかかる袋入り使い捨ておむつが示されている。
【００２０】
この袋入り使い捨ておむつは、図１および図２に示すように、所定の大きさの直方体形状の袋体１内に所定枚数（１８枚以下、１８〜３枚、例えば、１０枚程度）の使い捨ておむつ２，２・・を収納して構成されている。
【００２１】
前記袋体１は、例えばポリエチレン製とされており、底面１ａ、前後面１ｂ，１ｂ、側面１ｃ，１ｃおよび天面１ｄを有しており、前後面１ｂ，１ｂの幅寸法Ｘよりその側面１ｃ，１ｃの幅（換言すれば、奥行き）寸法Ｙが小さくされている。そして、前記袋体１の前後面１ｂ，１ｂ上端には、その幅方向両端部に対して両端の取付部３ａ，３ａが固着された一対の透明なポリエチレン製の手提げ用のループ３，３が設けられており、該ループ３，３の高さは、前記袋体１の奥行き（即ち、前後面１ｂ，１ｂ間の距離）より長くされている。このようにすると、安定した状態で持ち上げることができるとともに、ループ３，３に手を通し易くなるところから、持ち運びに便利となる。また、各ループ３の取付部３ａ，３ａ間の距離は、７０〜２４０ｍｍとするのがよく、１４０ｍｍとするのが最適である。
【００２２】
本実施の形態においては、前記各使い捨ておむつ２は、図３に示すように、パンツタイプの使い捨て水着とされており、胴部２ａから股間部２ｂに至る長さの最大部分をＬ1とし、幅の最大部分をＬ2としたとき、Ｌ1＞Ｌ2とされている。また、前記股間部２ｂには、特定の色彩、模様、図形等からなる意匠部Ａが設けられている。該意匠部Ａは、使い捨ておむつ２の種類、サイズ等を特定するためのものとされている。
【００２３】
ところで、上記使い捨ておむつ２は、図４ないし図７に示すように、肌当接面側に配設され、不織布等からなる透液性のトップシート１１と、外面側に配設され、ポリエチレン等のプラスチックシートや不織布、あるいはこれらの組み合わせからなる不透液性のバックシート１２と、これらのシート間に介在された吸収体１３とにより、従来の紙おむつにおける紙おむつ本体と同様の、平面形状が砂時計形状とされた水着本体が構成されている。この場合、前記吸収体１３には、一般的な紙おむつと相異して高吸水性ポリマーを含んでおらず、薄型とされている。なお、水着として使用されるもの以外の使い捨ておむつの場合、吸収体１３には高吸水性ポリマーを含ませるのが望ましい。
【００２４】
この使い捨ておむつ２においては、前記吸収体１３の両側縁長手方向に、前記トップシート１１の表面側に設けられた不織布等からなる立体ギャザーシート１４と、その内側端縁に沿って配設された糸ゴム等からなる複数本の弾性伸縮部材１５とにより表面側に起立する立体ギャザー１６が形成されている。
【００２５】
また、この使い捨ておむつ２の前身頃１９および後見頃２０の幅方向には、それぞれ複数本の弾性伸縮部材１５が配設され、これによりエンドフラップ部２１が形成されている。なお、この使い捨ておむつ２においては、バックシート１２と吸収体１３との間にポリエチレン等からなる不透液性の防水フィルム２２（図６参照）が配設されている。また、この使い捨ておむつ２においては、前身頃１９および後見頃２０において、吸収体１３を除く部分には、弾性伸縮部材１５が配設されている。
【００２６】
以上の通りに構成された使い捨ておむつ２は、製造過程において二つに折られ、前身頃１９側および後見頃２０側の両側端部が溶着されて接合部２ｃ，２ｃが形成されることとなっており、図５に示すように、パンツタイプの使い捨ておむつ（換言すれば、使い捨て水着）が形成されることとなっている。この使い捨ておむつにおいては、肌当接面側の長手方向に立体ギャザー１６が起立して設けられているので、乳幼児が水中で便等を排泄したとしても、この立体ギャザー１６により排泄物が横漏れすることが防止できる。
【００２７】
この使い捨ておむつ２においては、外面側、即ち最外層に配設されたバックシート１２側から視認できるデザインとなる前記意匠部Ａが形成されている。
【００２８】
本実施の形態においては、前記各使い捨ておむつ２は、その股間部２ｂが前記袋体１の一方の側面１ｃ側に接するようにし且つその前見頃１９および後見頃２０が鉛直姿勢となるようにして収納されている。袋体１に使い捨ておむつ２，２・・を収納するに際しては、袋体１の底面１ａを開放した状態で使い捨ておむつ２，２・・を収納した後、袋体１の底面１ａをヒートシールすることにより行われる。
【００２９】
従って、この場合、袋体１における前後面１ｂ，１ｂの幅寸法Ｘは、使い捨ておむつ２における胴部２ａから股間部２ｂに至る最大寸法Ｌ1（図３参照）と略等しくされ、袋体１の前後面１ｂ，１ｂの高さ寸法（換言すれば、袋体１の高さ寸法）Ｚは、使い捨ておむつ２における幅方向最大寸法Ｌ2（図３参照）と略等しくされている。また、袋体１の側面１ｃの幅寸法Ｙは、袋体１内に収納される使い捨ておむつ２，２・・の数に対応して決定される。なお、前記使い捨ておむつ２，２・・の前記袋体１への収納状態における積み重ね方向寸法Ｄ2（図１参照）が自然状態における使い捨ておむつの積み重ね方向寸法Ｄ1（図７参照）×２より小さくなるように圧縮状態とすることもできる。その場合、使い捨ておむつ２，２・・の袋体１へのコンパクト収納が可能となるとともに、使い捨ておむつ２，２・・の収納枚数を可及的に多くできる。なお、圧縮せずに収納する場合もあり、その場合、使い捨ておむつ２の取り出しが圧縮した場合より容易となる。
【００３０】
このようにすると、袋体１の側面幅Ｙの割りには多くの枚数の使い捨ておむつ２，２・・の収納が可能となる。従って、袋体１内に所定枚数（１８枚以下、１８〜３枚、例えば、１０枚程度）の使い捨ておむつ２，２・・を収納した状態においては底面１ａの面積が従来のものに比べて大きくなり、安定感のあるものとなる。従って、製造時、梱包時あるいは店頭に展示する場合に容易に積み重ねることができることとなる。
【００３１】
また、前記袋体１における前後面１ｂ，１ｂの一部（即ち、使い捨ておむつ２の股間部２ｂが位置する側の一部）および一方の側面１ｃ（即ち、使い捨ておむつ２の股間部２ｂが接している側面）には、股間部２ｂ，２ｂ・・を透視できる透明部４が設けられている。なお、袋体１の前後面１ｂ，１ｂにおける透明部４を除く部分および他方の側面１ｃは、不透明部５とされており、これらの不透明部５には、各種のデザインが施される。このようにすると、股間部２ｂにおける意匠部Ａを外部から容易に透視できることとなり、意匠部Ａにより使い捨ておむつ２の種類やサイズを特定することができる。その際、股間部２ｂに設けられた意匠部Ａが袋体１の側面１ｃ（換言すれば、透明部４）に接することにより、意匠部Ａの透視がより明確となるし、袋体１には各種のデザインが施されるが、透明部４以外の部分として比較的大きな面積を確保できるところから、各種デザインを容易に施すことができる。ところで、前記意匠部Ａは、使い捨ておむつ２の股間部２ｂのみに限定して設けられるものではなく、他の部分にも設けられる。従って、袋体１における透明部４も、意匠部Ａが透視できる位置に形成すればよい。なお、意匠部Ａとは、色彩のみに限定されず、模様、絵柄等をも包含する。
【００３２】
また、前記袋体１における天面１ｄには、楕円形の不透明部５を除く部分に透明部４が設けられている。該不透明部５も各種デザインＣ，Ｄ，Ｅを施す部分とされる。
【００３３】
さらに、前記袋体１の天面１ｄには、切り開き線６が形成されており、この切り開き線６に沿って天面１ｄを切り開くことにより、収納されている使い捨ておむつ２を取り出すことができるようになっている。この切り開き線６は、袋体天面１ｄにおいて奥行き方向に片寄った位置（換言すれば、前面１ｂからの距離より後面１ｂからの距離が大きくなる位置）に形成されている。このようにすると、切り開き線６に沿って天面１ｄを切り開いたとき、天面１ｄの一部（即ち、前後面１ｂ，１ｂからの距離が大きい方の部分）が蓋としての役目をなし、ほこり等が内部へ侵入しにくくなる。また、前記切り開き線６は、前記不透明部５における各種デザインＣ，Ｄ，Ｅを横切らない位置に形成されており、このようにすると、切り開き線６を切り開いた後においても、各種デザインＣ，Ｄ，Ｅが残置されることとなり、使い捨ておむつの特定に便利となる。
【００３４】
本実施の形態においては、袋体に透明部を形成したものについて説明したが、袋体全体を不透明部とすることもできる。
【００３５】
ところで、上記においては、使い捨ておむつ２としてパンツ式のものを採用した場合について説明したが、この使い捨ておむつ２としては、図８に示すように、後身頃２０の両側端に止着用のテープ（例えば、マジックテープ）２３，２３を設け、使い捨ておむつの装着時に、該マジックテープ２３，２３により前後身頃１９，２０の側端部同士を結合するテープ式のものを採用することもできる。この場合、吸収体１３の側縁よりも側方に延在されたバックシート１２部分と、立体ギャザーシート１４の外側シート部分とにより吸収体１３の介在しないサイドフラップ部１７が形成され、且つこれらの間には、複数本の弾性伸縮部材１５がおむつ本体の長手方向に沿って配設されることにより、サイドフラップ部１７には、ひだ状の平面ギャザー１８が形成されている。
【００３６】
第２の実施の形態
図９には、本願発明の第２の実施の形態にかかる袋入り使い捨ておむつが示されている。
【００３７】
この場合、前記所定枚数の使い捨ておむつ２，２・・の股間部２ｂ，２ｂ・・には、積み重ね収納された状態の使い捨ておむつ２，２・・全体で構成される特定の色彩、模様、図形等からなる意匠部Ａが設けられている。本実施の形態の場合、意匠部Ａは、全体として三角形の図形を構成することとなっている。一方、前記袋体１には、前記意匠部Ａを透視できる透明部４が設けられている。そのように構成した場合、意匠部Ａを外部から容易且つ明確に透視できることとなり、意匠部Ａにより収納された使い捨ておむつ２，２・・を特定することができるとともに、収納された使い捨ておむつ２，２・・に欠品が生じた場合に、当該欠品を意匠部Ａの不完成により容易に発見することができる。その他の構成および作用効果は、第１の実施の形態におけると同様なので、説明を省略する。
【００３８】
第３の実施の形態
図１０および図１１には、本願発明の第３の実施の形態にかかる袋入り使い捨ておむつが示されている。
【００３９】
この場合、前記各使い捨ておむつ２は、股間部２ｂが袋体１の一方の側面１ｃ側に向くようにし且つその前見頃１９および後見頃２０が水平姿勢となるようにして収納されている。この場合、袋体１の底面１ａの面積と使い捨ておむつ２の前後見頃１９，２０の投影面積とが略等しくなるとともに、袋体１における前後面１ｂ，１ｂの幅寸法Ｘは、使い捨ておむつ２における胴部２ａから股間部２ｂに至る長さ方向の最大寸法Ｌ1（図３参照）と略等しくされ、袋体１の側面１ｃの幅寸法Ｙは、使い捨ておむつ２における幅方向最大寸法Ｌ2（図３参照）と略等しくされている。また、袋体１の前後面１ｂ，１ｂの高さ寸法（換言すれば、袋体１の高さ寸法）Ｚは、袋体１内に収納される使い捨ておむつ２，２・・の数に対応して決定される。従って、前記使い捨ておむつ２の前記袋体１への収納状態において、その底面１ａの面積（換言すれば、積み重ね収納された使い捨ておむつ２，２・・の底面の投影面積）がその側面１ｃの面積（換言すれば、積み重ね収納された使い捨ておむつ２，２・・の側面の投影面積）より大きくなるように設定されることとなる。そのように構成した場合、収納状態の使い捨ておむつ２，２・・における高さ寸法が制限されることとなるため、収納状態における安定感が高くなる。なお、前記使い捨ておむつの前記袋体１への収納状態における積み重ね方向寸法Ｄ2（図１１参照）が自然状態における使い捨ておむつの積み重ね方向寸法Ｄ1（図７参照）×２より小さくなるように圧縮状態とすることもできる。その場合、使い捨ておむつ２，２・・の袋体１へのコンパクト収納が可能となるとともに、使い捨ておむつ２，２・・の収納枚数を可及的に多くできるし、圧縮状態であっても、使い捨ておむつの取り出しは容易となる。また、上記したように、使い捨ておむつ２，２・・をその前後身頃１９，２０が水平姿勢となるように収納すると、袋体１への使い捨ておむつ２，２・・の収納枚数が少なくても、安定感を損なうということがなくなる。その他の構成および作用効果は、第１の実施の形態におけると同様なので説明を省略する。
【図面の簡単な説明】
【００４０】
【図１】本願発明の第１の実施の形態にかかる袋入り使い捨ておむつの斜視図である。
【図２】図１のＩＩ−ＩＩ断面図である。
【図３】本願発明の第１の実施の形態にかかる袋入り使い捨ておむつにおける使い捨ておむつの平面図である。
【図４】本願発明の第１の実施の形態にかかる袋入り使い捨ておむつにおける使い捨ておむつの展開状態平面図である。
【図５】本願発明の第１の実施の形態にかかる袋入り使い捨ておむつにおける使い捨ておむつの斜視図である。
【図６】図４のＶＩ−ＶＩ拡大断面図である。
【図７】図４のＶＩＩ−ＶＩＩ拡大断面図である。
【図８】本願発明の第１の実施の形態にかかる袋入り使い捨ておむつにおける使い捨ておむつの他の例を示す展開状態平面図である。
【図９】本願発明の第２の実施の形態にかかる袋入り使い捨ておむつの斜視図である。
【図１０】本願発明の第３の実施の形態にかかる袋入り使い捨ておむつの斜視図である。
【図１１】図１０のＸＩ−ＸＩ断面図である。
【符号の説明】
【００４１】
１は袋体
１ａは底面
１ｂは前後面
１ｃは側面
１ｄは天面
２は使い捨ておむつ
２ａは胴部
２ｂは股間部
２ｃは接合部
３はループ
３ａは取付部
４は透明部
１９は前身頃
２０は後見頃
２３はテープ（マジックテープ）
Ａは意匠部
Ｄ1は使い捨ておむつの自然状態における積み重ね方向寸法
Ｄ2は使い捨ておむつの収納状態における積み重ね方向寸法
Ｌ1は使い捨ておむつの胴部から股間部に至る長さ方向の最大寸法
Ｌ2は使い捨ておむつの幅方向の最大寸法
Ｘは袋体前後面の幅寸法
Ｙは袋体側面の幅寸法（奥行き寸法）
【図１】
2005329106.tif 000003
【図２】
2005329106.tif 000004
【図３】
2005329106.tif 000005
【図４】
2005329106.tif 000006
【図５】
2005329106.tif 000007
【図６】
2005329106.tif 000008
【図７】
2005329106.tif 000009
【図８】
2005329106.tif 000010
【図９】
2005329106.tif 000011
【図１０】
2005329106.tif 000012
【図１１】
2005329106.tif 000013